(57)【要約】【課題】見栄えを向上させながらも、設置する際の作業性を向上し得る窓装置を提供する。【解決手段】透光板１０の四周を囲むように中空状のフレーム１１，１２，１４，１４を設けた窓装置１であって、前記四周のフレームのうち隣り合う窓装置に突き合わせられて互いに連結される連結側フレーム１４Ａの長手方向途中部位に連結ブロック２０が収容されており、突き合わせられる連結側フレームのうちの一方に収容された連結ブロックには、当該連結ブロックが収容された前記連結側フレームの窓内周側を構成する内周壁１５に設けられた固着具挿通孔１５ｂを介して挿入された固着具４の頭部５を保持する頭部保持部２１が設けられ、突き合わせられる連結側フレームのうちの他方に収容された連結ブロックには、突き合わせられた各連結側フレームの窓外周側を構成する外周壁１６，１６を貫通した前記固着具の軸部６が係止される被係止部２７が設けられている。【選択図】図１
2020084687.tif 000002
【特許請求の範囲】
【請求項１】
透光板の四周を囲むように中空状のフレームを設けた窓装置であって、
前記四周のフレームのうち隣り合う窓装置に突き合わせられて互いに連結される連結側フレームの長手方向途中部位に連結ブロックが収容されており、
突き合わせられる連結側フレームのうちの一方に収容された連結ブロックには、当該連結ブロックが収容された前記連結側フレームの窓内周側を構成する内周壁に設けられた固着具挿通孔を介して挿入された固着具の頭部を保持する頭部保持部が設けられ、突き合わせられる連結側フレームのうちの他方に収容された連結ブロックには、突き合わせられた各連結側フレームの窓外周側を構成する外周壁を貫通した前記固着具の軸部が係止される被係止部が設けられていることを特徴とする窓装置。
【請求項２】
請求項１において、
互いに突き合わせられる連結側フレームに収容された連結ブロックには、これら連結ブロック同士の連結が見込方向両側の固着具によってなされるように前記頭部保持部及び前記被係止部が設けられていることを特徴とする窓装置。
【請求項３】
請求項２において、
互いに突き合わせられる連結側フレームのうちの一方の連結側フレームに収容された連結ブロックの見込方向第１側部位に前記頭部保持部が設けられ、かつ見込方向第２側部位に前記被係止部が設けられており、他方の連結側フレームに収容された連結ブロックの見込方向第１側部位に前記被係止部が設けられ、かつ見込方向第２側部位に前記頭部保持部が設けられていることを特徴とする窓装置。
【請求項４】
請求項１乃至３のいずれか１項において、
前記連結ブロックの頭部保持部には、前記固着具の頭部の連結側フレーム長手方向両側に位置するように、かつ前記連結側フレームの対向する中空部内面間に亘って延びるようにガイド壁が設けられていることを特徴とする窓装置。
【請求項５】
請求項１乃至４のいずれか１項において、
前記連結ブロックの被係止部は、前記固着具の軸部を構成する雄ねじ部にねじ合わされるナット部材の雌ねじ穴であることを特徴とする窓装置。
【請求項６】
請求項１乃至５のいずれか１項において、
前記連結ブロックには、前記連結側フレームの中空部内面において開口するように設けられた嵌合凹部に嵌め合わされる嵌合突起が設けられていることを特徴とする窓装置。
【請求項７】
請求項１乃至６のいずれか１項において、
前記固着具挿通孔を覆うキャップ部材を備えていることを特徴とする窓装置。
【請求項８】
請求項１乃至７のいずれか１項において、
互いに突き合わせられる連結側フレームのうちの一方の連結側フレームの外周壁には、他方側に向けて突出し全長に亘って延びる突条が設けられており、他方の連結側フレームの外周壁には、前記突条が係合する凹溝が全長に亘って延びるように設けられていることを特徴とする窓装置。
【請求項９】
請求項１乃至８のいずれか１項において、
前記四周のフレームのうち前記連結側フレームに対向するフレームにも前記連結ブロックが収容されていることを特徴とする窓装置。
【発明の詳細な説明】
【技術分野】
【０００１】
本発明は、窓装置に関する。
【背景技術】
【０００２】
従来より、複数の窓部材などのパネル状の部材を隣り合わせて連結する構造が知られている。
例えば、下記特許文献１には、左右に隣接した一方の窓部の縦枠と他方の窓部の縦枠とを、これらの見付面に跨るように設けられる方立によって連結する構造とされた連窓が開示されている。
また、下記特許文献２には、隣り合うパネルの四角柱形状の縦枠材のそれぞれの上端開口に挿入される支持部材を備え、縦枠材同士を結合する部材結合装置が開示されている。この部材結合装置は、支持部材に、縦枠材の上端部の結合面に設けられた縦長楕円形状のボルト挿通口に連通する開口より斜め上方へ延びて貫通するボルト挿通孔と、開口より斜め下方へ延び、内面にめねじ処理が施されたナット要素と、を設けた構成とされている。また、この部材結合装置は、一方の縦枠材の上端開口からその支持部材のボルト挿通口を介して他方の縦枠材の支持部材のナット要素に傾斜ボルトを挿入・締結することでパネル同士を結合させる構成とされている。
【先行技術文献】
【特許文献】
【０００３】
【特許文献１】特開２０１５−６３８００号公報
【特許文献２】特開２００５−１６３８４９号公報
【発明の概要】
【発明が解決しようとする課題】
【０００４】
しかしながら、上記特許文献１に記載された連窓では、隣り合う窓部の縦枠の見付面において方立が目立ち易くなるという問題があった。
また、上記特許文献２に記載された部材結合装置では、縦枠の上端側に締結時に作業スペースが必要となるため、開口部等に設置した状態では結合し難く、更なる改善が望まれる。
【０００５】
本発明は、上記実情に鑑みてなされたものであり、見栄えを向上させながらも、設置する際の作業性を向上し得る窓装置を提供することを目的としている。
【課題を解決するための手段】
【０００６】
上記目的を達成するために、本発明に係る窓装置は、透光板の四周を囲むように中空状のフレームを設けた窓装置であって、前記四周のフレームのうち隣り合う窓装置に突き合わせられて互いに連結される連結側フレームの長手方向途中部位に連結ブロックが収容されており、突き合わせられる連結側フレームのうちの一方に収容された連結ブロックには、当該連結ブロックが収容された前記連結側フレームの窓内周側を構成する内周壁に設けられた固着具挿通孔を介して挿入された固着具の頭部を保持する頭部保持部が設けられ、突き合わせられる連結側フレームのうちの他方に収容された連結ブロックには、突き合わせられた各連結側フレームの窓外周側を構成する外周壁を貫通した前記固着具の軸部が係止される被係止部が設けられていることを特徴とする。
【発明の効果】
【０００７】
本発明に係る窓装置は、上述のような構成としたことで、見栄えの向上が可能で、かつ設置する際の作業性を向上させることができる。
【図面の簡単な説明】
【０００８】
【図１】本発明の一実施形態に係る窓装置の一例を模式的に示し、図３（ａ）におけるＸ−Ｘ線矢視に対応させた一部破断概略横断面図である。
【図２】図３（ａ）におけるＹ−Ｙ線矢視に対応させた一部破断概略縦断面図である。
【図３】（ａ）は、同窓装置を設置した状態を模式的に示す概略正面図、（ｂ）は、図１に対応させた同窓装置の一部破断概略横断面図である。
【図４】同窓装置の一部破断概略斜視図である。
【図５】図４におけるＺ部に対応させた一部破断概略斜視図である。
【図６】同窓装置の概略分解斜視図である。
【図７】（ａ）、（ｂ）は、同窓装置が備える連結ブロックの一例を模式的に示す概略斜視図である。
【発明を実施するための形態】
【０００９】
以下に本発明の実施の形態について、図面に基づいて説明する。
なお、一部の図では、他図に付している詳細な符号の一部を省略している。
また、以下の実施形態では、本実施形態に係る窓装置を設置した状態を基準として上下方向等の方向を説明する。
図１〜図７は、本実施形態に係る窓装置の一例を模式的に示す図である。
【００１０】
本実施形態に係る窓装置１は、図１〜図３に示すように、透光板１０の四周を囲むように中空状のフレーム１１，１２，１４，１４を設けた構成とされている。
この窓装置１は、住居や店舗等の建物の壁を貫通するように設けられた開口部２に設置される。この窓装置１が設置される開口部２は、建物の内外を区画する外壁を貫通するように設けられたものでもよいが、本実施形態では、建物内を区画する間仕切壁を貫通するように設けられたものとしている。つまり、窓装置１を室内窓としている。
【００１１】
開口部２は、間仕切壁の高さ方向途中部位に設けられたものでもよい。また、開口部２は、床から間仕切壁の高さ方向途中部位または天井に至るように設けられたものでもよく、間仕切壁の高さ方向途中部位から天井に至るように設けられたものでもよい。また、開口部２は、対向する壁面間の全体に亘って設けられたものでもよい。また、開口部２は、建物内を区画する間仕切壁に限られず、袖壁等を貫通するように設けられたものでもよい。また、開口部２の内周面を構成する天面２ａ、底面２ｂ及び開口幅方向両側の内側面２ｃ，２ｃは、種々の構成とされた窓下地の下地面でもよく、また、方形状に枠組みされた窓枠の見込面でもよい。また、天面２ａ、底面２ｂ及び開口幅方向両側の内側面２ｃ，２ｃのうちの少なくとも一つを窓枠の見込面としてもよい。なお、窓装置１が設置される開口部２としては、四周が囲まれたものに限られず、一方側が開放されたものでもよく、その他、種々の構成とされたものでもよい。窓装置１は、腰高窓状に設けられる構成に限られず、床際や天井際に設けられる構成でもよく、また、間仕切壁状や袖壁状に設けられる構成でもよい。
【００１２】
窓装置１は、図１及び図３（ａ）に示すように、四周のフレーム１１，１２，１４，１４を構成する上部フレーム１１と下部フレーム１２と開口幅方向両側の側部フレーム１４，１４とを備えている。また、窓装置１は、これら四周のフレーム１１，１２，１４，１４のうち隣り合う窓装置１に突き合わせられて互いに連結される連結側フレーム１４Ａの長手方向途中部位に収容された連結ブロック２０を備えている。本実施形態では、一方の側部フレーム１４を連結側フレーム１４Ａとしている。また、本実施形態では、この連結側フレーム１４Ａに対向する側部フレーム１４（端部フレーム１４Ｂ）にも連結ブロック２０を収容させた構成としている。なお、連結ブロック２０の具体的構成については後述する。
また、本実施形態では、これら四周のフレーム１１，１２，１４，１４内を区画する中間フレーム１３を設けた構成としている。また、中間フレーム１３を、四周のフレーム１１，１２，１４，１４内を上下に区画するように開口幅方向に延びるように設けた構成としている。また、この中間フレーム１３の上下両側に固定的に透光板１０，１０を設けた構成としている。つまり、本実施形態では、窓装置１は、開閉不能とされた固定窓（ＦＩＸ窓）とされている。
【００１３】
透光板１０は、アクリルやポリカーボネート等の合成樹脂系材料や、ガラス等の透光性材料から形成されている。この透光板１０は、略無色透明とされたものに限られず、有色透明とされたものや半透明とされたものでもよい。この透光板１０としては、例えば、透明材料に着色剤が添加されて有色透明とされたものや、樹脂フィルム等が積層されて有色透明とされたものでもよい。また、この透光板１０としては、スモークガラス状やすりガラス状とされたものでもよく、チェッカー状やモール状、アクア状、レイン状、かすみ状等の種々の模様が施された装飾透光板としてもよく、その他、種々の構成とされたものでもよい。
【００１４】
四周のフレーム１１，１２，１４，１４及び中間フレーム１３には、図１及び図２に示すように、透光板１０の四周端部を受け入れる受入溝１１ａ，１２ａ，１３ａ，１３ａ，１５ａ，１５ａが設けられている。また、これら受入溝１１ａ，１２ａ，１３ａ，１３ａ，１５ａ，１５ａには、透光板１０の四周端部を保持するガスケット（グレイジングガスケット）１７，１７，１７，１７が嵌め込まれている。このようなガスケット１７としては、断面略Ｃ字状とされたいわゆるグレイジングチャンネルや見込方向（透光板１０の厚さ方向）に分離されたグレイジングビードでもよい。
また、本実施形態では、図３（ａ）に示すように、上下方向両側の上部フレーム１１及び下部フレーム１２と、開口幅方向両側の側部フレーム１４，１４と、をいわゆる縦勝ち状に接合した構成としている。つまり、上部フレーム１１及び下部フレーム１２の長手方向の各端面と、各側部フレーム１４，１４の上端部及び下端部の互いに向き合う内側面（窓内周面）と、を突き合わせて接合した構成としている。これら四周のフレーム１１，１２，１４，１４及び中間フレーム１３の接合態様の一例については後述する。
【００１５】
上部フレーム１１は、開口幅方向に長尺状とされ、図２に示すように、長手方向に見て概ね方形状とされている。この上部フレーム１１の上下方向に向く上面（窓外周面）及び下面（窓内周面）並びに見込方向に向く両側面は、略平坦面状とされている。
また、この上部フレーム１１の長さ寸法は、開口幅方向両側の側部フレーム１４，１４間の寸法に応じた寸法とされている。また、この上部フレーム１１の上下方向に沿う寸法（見付寸法）及び見込寸法は、見栄え上や強度上の観点や、透光板１０を安定的に保持する観点、当該窓装置１の固定性等の観点等から適宜の寸法としてもよい。本実施形態では、上部フレーム１１の上下方向に沿う寸法を、上部フレーム１１の見込寸法よりも小としている。この上部フレーム１１の上下方向に沿う寸法は、例えば、１０ｍｍ〜４０ｍｍ程度としてもよい。また、この上部フレーム１１の見込寸法は、例えば、３０ｍｍ〜６０ｍｍ程度としてもよい。
【００１６】
この上部フレーム１１の受入溝１１ａは、上部フレーム１１の窓内周側において下方側に向けて開口するように設けられている。この受入溝１１ａは、上部フレーム１１の全長に亘って設けられている。また、受入溝１１ａは、上部フレーム１１の見込方向略中央部に設けられている。図例では、この受入溝１１ａの溝幅方向両側を区画する両側の溝壁面の開口側部位に、互いに対向する方向に向けて突出し、ガスケット１７の抜け止めとなる抜止片部を設けた例を示している。
また、上部フレーム１１の受入溝１１ａの見込方向両側には、全長に亘って貫通するように中空部が設けられている。換言すれば、上部フレーム１１の受入溝１１ａの見込方向両側部位を、中空筒状としている。また、受入溝１１ａを、上部フレーム１１の窓内周側を構成する内周壁（下壁）に設けた構成としている。
【００１７】
また、この上部フレーム１１には、図２及び図６に示すように、側部フレーム１４の上端部を接合する固着具９が止着される止着部１１ｂが設けられている。図例では、上部フレーム１１の内周壁の上面（中空部内面）側の見込方向両側のそれぞれに止着部１１ｂ，１１ｂを設けた例を示している。これら止着部１１ｂ，１１ｂは、上部フレーム１１の略全長に亘って延びるように設けられたものでもよい。
また、上部フレーム１１に、当該上部フレーム１１を固定対象に固定する固着具３が挿通される挿通孔１１ｃ，１１ｄを設けた構成としている。図例では、上部フレーム１１の内周壁を貫通させるように内周側挿通孔１１ｃを設け、上部フレーム１１の窓外周側を構成する外周壁（上壁）を貫通させるように外周側挿通孔１１ｄを設けた例を示している。また、図例では、この外周側挿通孔１１ｄが設けられた外周壁の下面（中空部内面）を、見込方向中央側から見込方向外側に向かうに従い上方側となるように傾斜する傾斜面状とした例を示している。また、このように傾斜面状とされた外周壁の内面に対して略直交方向となるように外周側挿通孔１１ｄを設けた例を示している。
【００１８】
内周側挿通孔１１ｃは、固着具３の頭部の挿通が可能なように内径が頭部の外径よりも大とされている。外周側挿通孔１１ｄは、固着具３の軸部の挿通が可能でかつ頭部の挿通が不能なように内径が軸部の外径よりも大とされ、かつ頭部の外径よりも小とされている。
また、これら内周側挿通孔１１ｃと外周側挿通孔１１ｄとは、固着具３の軸方向で略一致した位置となるように設けられている。これら内周側挿通孔１１ｃ及び外周側挿通孔１１ｄは、上部フレーム１１の長手方向に間隔を空けて複数箇所（図例では、２箇所）に設けられたものでもよい。また、図例では、これら内周側挿通孔１１ｃ及び外周側挿通孔１１ｄを、上部フレーム１１の受入溝１１ａの見込方向一方側部位に設けた例を示している。
また、内周側挿通孔１１ｃを覆うキャップ部材１８を設けた構成としている。このような構成とすれば、上部フレーム１１の中空部内や固着具３の頭部、内周側挿通孔１１ｃをキャップ部材１８によって覆い隠すことができ、見栄えを向上させることができる。このキャップ部材１８には、内周側挿通孔１１ｂよりも大径状の覆い部と内周側挿通孔１１ｃに圧入状に嵌め込まれる嵌込部とが設けられている。また、図例では、上部フレーム１１に、窓外周側において上方側に向けて開口する凹溝を全長に亘って設けた例を示している。
【００１９】
下部フレーム１２は、開口幅方向に長尺状とされ、長手方向に見て概ね方形状とされている。本実施形態では、この下部フレーム１２を、上部フレーム１１と同寸同形状、つまり、同一部材としている。つまりは、この下部フレーム１２には、上記同様な受入溝１２ａ、止着部１２ｂ，１２ｂ、内周側挿通孔１２ｃ、外周側挿通孔１２ｄ、凹溝１２ｅ及びキャップ部材１８が設けられている。なお、下部フレーム１２の各部は、上部フレーム１１において説明したそれぞれの構成の上下方向を逆として把握すればよいため、以下では、詳細な説明を省略する。
受入溝１２ａは、下部フレーム１２の窓内周側において上方側に向けて開口するように、かつ下部フレーム１２の全長に亘って設けられている。
止着部１２ｂ，１２ｂは、下部フレーム１２の窓内周側を構成する内周壁（上壁）の下面（中空部内面）側の見込方向両側のそれぞれに設けられている。
【００２０】
内周側挿通孔１２ｃは、下部フレーム１２の内周壁を貫通するように設けられている。
外周側挿通孔１２ｄは、上面（中空部内面）が見込方向中央側から見込方向外側に向かうに従い下方側となるように傾斜する傾斜面状とされた下部フレーム１２の外周壁（下壁）の内面に対して略直交方向となるように設けられている。
凹溝１２ｅは、下部フレーム１２の窓外周側において下方側に向けて開口するように、かつ下部フレーム１２の全長に亘って設けられている。この凹溝１２ｅは、受入溝１２ａと同様、略平坦面状とされた下部フレーム１２の外周壁の見込方向略中央部に位置するように設けられている。また、この凹溝１２ｅは、溝長手方向に見て、略方形溝状とされている。この凹溝１２ｅの上下方向に沿う深さ寸法及び見込方向に沿う溝幅寸法は、後記する下側ガイド８の受け入れが可能なように適宜の寸法とすればよい。
【００２１】
中間フレーム１３は、開口幅方向に長尺状とされ、長手方向に見て概ね方形状とされている。この中間フレーム１３の上下方向（見付方向）に向く上面及び下面並びに見込方向に向く両側面は、略平坦面状とされている。この中間フレーム１３の見付寸法及び見込寸法は、見栄え上や強度上の観点や、透光板１０を安定的に保持する観点等から適宜の寸法としてもよい。図例では、この中間フレーム１３の見付寸法及び見込寸法を、上部フレーム１１及び下部フレーム１２の見付寸法及び見込寸法と略同寸法とした例を示している。
また、この中間フレーム１３には、上下方向両側において開口するように受入溝１３ａ，１３ａが全長に亘って設けられている。これら受入溝１３ａ，１３ａは、上記同様、見込方向略中央部に設けられている。また、上記同様、これら受入溝１３ａ，１３ａの溝幅方向両側を区画する両側の溝壁面の開口側部位に抜止片部を設けた例を示している。
【００２２】
また、これら受入溝１３ａ，１３ａの溝底を構成する部位同士を接続する壁部を設け、この壁部の見込方向両側に、全長に亘って貫通するように中空部を設けた構成としている。
また、この中間フレーム１３に、上記同様の止着部１３ｂ，１３ｂを設けた例を示している。図例では、中間フレーム１３の上面側を構成する上壁の下面（中空部内面）側の見込方向両側のそれぞれに止着部１３ｂ，１３ｂを設けた例を示している。なお、図例では、１本の中間フレーム１３を設けた例を示しているが、複数本の中間フレーム１３を設けた構成としてもよい。また、開口幅方向に延びる中間フレーム１３に代えてまたは加えて上下方向に延びる中間フレームを設けた構成としてもよい。また、中間フレーム１３としては、四周のフレーム１１，１２，１４，１４とによって透光板１０の四周を保持する構成とされたものに限られず、透光板１０の少なくとも厚さ方向一方面に沿うように固定される格子子状材としてもよい。
【００２３】
開口幅方向両側の側部フレーム１４，１４は、図３及び図６に示すように、上下方向に長尺状とされ、長手方向に見て概ね方形状とされている。これら側部フレーム１４，１４の開口幅方向に向く両側面及び見込方向に向く両側面は、概ね平坦面状とされている。また、本実施形態では、これら両側の側部フレーム１４，１４を、互いに同寸同形状、つまり、同一部材としている。また、これら両側の側部フレーム１４，１４は、長手方向に貫通するように中空部が設けられた中空筒状とされている。これら両側の側部フレーム１４，１４の開口幅方向に沿う寸法（見付寸法）及び見込寸法は、上記同様、見栄え上や強度上の観点や、透光板１０を安定的に保持する観点等から適宜の寸法としてもよい。図例では、これら両側の側部フレーム１４，１４の見付寸法及び見込寸法を、上部フレーム１１及び下部フレーム１２の見付寸法及び見込寸法と略同寸法とした例を示している。
【００２４】
これら側部フレーム１４，１４の上端部、長手方向途中部位（図例では略中央部位）及び下端部には、上部フレーム１１、中間フレーム１３及び下部フレーム１２の止着部１１ｂ，１３ｂ，１２ｂに止着される固着具９が挿通される挿通孔が設けられている。この挿通孔は、詳細な図示は省略しているが、各側部フレーム１４，１４の内周壁１５及び外周壁１６を貫通するように設けられている。また、図例では、各側部フレーム１４，１４の上端部、略中央部位及び下端部のそれぞれにおける見込方向両側に挿通孔を設けた例を示している。なお、側部フレーム１４，１４と上部フレーム１１、中間フレーム１３及び下部フレーム１２との接合は、このような態様に限られず、適宜の接合金具等を介して接合する態様としてもよく、その他、種々の接合態様に採用が可能である。また、これら側部フレーム１４，１４の下端部には、後記する下側ガイド８を受け入れる当該窓装置１の下端部の凹溝を下部フレーム１２の凹溝１２ｅとによって構成する凹所が設けられている。
【００２５】
また、これら両側の側部フレーム１４，１４の受入溝１５ａ，１５ａは、窓内周側を構成する内周壁１５，１５に設けられている。また、これら受入溝１５ａ，１５ａは、上記同様、各側部フレーム１４，１４のそれぞれに全長に亘って設けられている。また、これら受入溝１５ａ，１５ａは、各側部フレーム１４，１４の見込方向略中央部に設けられている。また、上記同様、これら受入溝１５ａ，１５ａの溝幅方向両側を区画する両側の溝壁面の開口側部位に抜止片部を設けた例を示している。
また、内周壁１５，１５に、固着具挿通孔１５ｂ，１５ｂを設けた構成としている。本実施形態では、各側部フレーム１４，１４の内周壁１５，１５に、フレーム長手方向に間隔を空けて複数（図例では２つ）の固着具挿通孔１５ｂ，１５ｂを設けた構成としている。図例では、各側部フレーム１４，１４の内周壁１５，１５における上部フレーム１１と中間フレーム１３との間及び中間フレーム１３と下部フレーム１２との間のそれぞれに固着具挿通孔１５ｂ，１５ｂを設けた例を示している。
【００２６】
また、各側部フレーム１４，１４の内周壁１５，１５の受入溝１５ａ，１５ａよりも見込方向一方側部位において開口するように固着具挿通孔１５ｂ，１５ｂを設け、受入溝１５ａ，１５ａよりも見込方向他方側部位には固着具挿通孔を設けていない構成としている。また、一方の側部フレーム１４の見込方向第１側部位に固着具挿通孔１５ｂ，１５ｂを設け、他方の側部フレーム１４の見込方向第２側部位（見込方向第１側部位とは見込方向で異なる側の部位）に固着具挿通孔１５ｂ，１５ｂを設けた構成としている。これら固着具挿通孔１５ｂ，１５ｂは、固着具４の頭部５の挿通が可能なように内径が頭部５の外径よりも大とされている。
【００２７】
また、本実施形態では、これら側部フレーム１４，１４の固着具挿通孔１５ｂ，１５ｂを覆うキャップ部材１８，１８を設けた構成としている。このような構成とすれば、各側部フレーム１４，１４の中空部内や固着具４の頭部５、固着具挿通孔１５ｂをキャップ部材１８によって覆い隠すことができ、見栄えを向上させることができる。図例では、固着具挿通孔１５ｂを覆うキャップ部材１８を、上記した上部フレーム１１及び下部フレーム１２の内周側挿通孔１１ｃ，１２ｃを覆うキャップ部材１８，１８と同寸同形状、つまり、同一部材としている。なお、内周側挿通孔１１ｃ，１２ｃ及び固着具挿通孔１５ｂを覆うキャップ部材１８としては、上記のような構成とされたものに限られず、その他、種々の構成とされたものの採用が可能である。
【００２８】
また、本実施形態では、互いに突き合わせられる連結側フレーム１４Ａ，１４Ａのうちの一方の連結側フレーム１４Ａの窓外周側を構成する外周壁１６に、他方側に向けて突出し全長に亘って延びる突条１６ｂを設けた構成としている。また、他方の連結側フレーム１４Ａの外周壁１６に、一方の連結側フレーム１４Ａの突条１６ｂに係合する凹溝１６ｃを全長に亘って延びるように設けた構成としている。このような構成とすれば、互いに隣り合う窓装置１，１の一方の連結側フレーム１４Ａの突条１６ｂと他方の連結側フレーム１４Ａの凹溝１６ｃとを係合させることで、互いに突き合わせられる連結側フレーム１４Ａ，１４Ａの見込方向における位置決めを容易に行うことができる。また、互いに突き合わせられる連結側フレーム１４Ａ，１４Ａ間における隙間を生じ難くすることができる。
【００２９】
本実施形態では、連結側フレーム１４Ａ及び連結側とは異なる側の端部フレーム１４Ｂを構成する両側の側部フレーム１４，１４を同一部材としているので、これら側部フレーム１４，１４のそれぞれに突条１６ｂ及び凹溝１６ｃを設けた構成としている。つまり、一方の側部フレーム１４の見込方向第１側部位に突条１６ｂ、見込方向第２側部位に凹溝１６ｃを設け、他方の側部フレーム１４の見込方向第１側部位に凹溝１６ｃ、見込方向第２側部位に突条１６ｂを設けた構成としている。つまりは、隣り合う窓装置１，１の連結側フレーム１４Ａ，１４Ａ同士を突き合わせた状態では、見込方向の２箇所において突条１６ｂと凹溝１６ｃとが係合する構成としている。
【００３０】
また、各側部フレーム１４，１４の外周壁１６，１６に、見込方向中央部から等距離となるように突条１６ｂ，１６ｂ及び凹溝１６ｃ，１６ｃを設けた構成としている。これら突条１６ｂ及び凹溝１６ｃの見込方向に沿う寸法及び開口幅方向に沿う寸法は、位置決め性や隙間を生じ難くする観点等から適宜の寸法としてもよく、例えば、０．５ｍｍ〜２ｍｍ程度としてもよい。
また、図５に示すように、側部フレーム１４の外周壁１６の見込方向両側の縁部に、面取部を設けた構成としている。このような構成とすれば、隣り合う窓装置１，１を連結して連結側フレーム１４Ａ，１４Ａ同士を突き合わせた状態における見付面の段差を目立ち難くすることができる。
【００３１】
また、本実施形態では、側部フレーム１４，１４のうちの開口部２の内側面２ｃ側となる端部フレーム１４Ｂの外周壁１６に、内側面２ｃに当接されるシール材（パッキン）１９を収容する側部溝１６ｄを設けた構成としている。本実施形態では、両側の側部フレーム１４，１４の外周壁１６，１６の見込方向両側に、開口幅方向（窓幅方向）外側に向けて開口する側部溝１６ｄ，１６ｄを設けた構成としている。また、端部フレーム１４Ｂの側部溝１６ｄ，１６ｄのそれぞれにシール材１９，１９を設け、連結側フレーム１４Ａの側部溝１６ｄ，１６ｄには、シール材１９，１９を設けていない構成としている。
これら側部溝１６ｄ，１６ｄは、各側部フレーム１４，１４の全長に亘って延びるように設けられており、突条１６ｂ及び凹溝１６ｃが設けられた見込方向中央側部位の見込方向両側に設けられている。また、これら側部溝１６ｄ，１６ｄの溝幅や溝深さは、シール材１９，１９の収容が可能なように適宜の寸法とすればよい。
【００３２】
シール材１９は、図３（ｂ）に示すように、内側面２ｃに当接されていない自然状態では、側部溝１６ｄから窓幅方向外側に向けて突出する構成とされている。図例では、シール材１９は、側部溝１６ｄの溝底に固定される固定片部と、該固定片部の見込方向一端部から窓幅方向外側に向けて延びるように設けられ、内側面２ｃへの当接を伴って溝底側に折り畳まれるように変形する弾性片部と、を備えた構成とされている。なお、図例では、シール材１９の固定片部及び弾性片部を同材料から形成されたものとした例を示しているが、硬質の固定片部と軟質の弾性片部とを、例えば、二色成形（異材質成形）等によって形成した構成とされたものでもよい。また、図例では、側部フレーム１４（端部フレーム１４Ｂ）の見込方向中央側が弾性片部の自由端側となるようにシール材１９を固定した例を示しているが、このような態様に限られない。また、このシール材１９は、当該窓装置１の施工現場において開口部２の内側面２ｃ側となる端部フレーム１４Ｂの側部溝１６ｄの溝底に適宜の粘着材や接着剤等によって固定されるものでもよい。また、シール材１９としては、図例のような片持状に弾性片部を設けた構成とされたものに限られず、種々の構成とされたものの採用が可能である。
【００３３】
互いに突き合わせられる連結側フレーム１４Ａ，１４Ａのそれぞれに収容され、互いに連結される連結ブロック２０，２０は、図４及び図５に示すように、互いに略同高さに位置するように設けられている。一方の連結側フレーム１４Ａに収容された連結ブロック２０には、当該連結ブロック２０が収容された連結側フレーム１４Ａの内周壁１５の固着具挿通孔１５ｂを介して挿入された固着具４の頭部５を保持する頭部保持部２１が設けられている。また、他方の連結側フレーム１４Ａに収容された連結ブロック２０には、突き合わせられた各連結側フレーム１４Ａ，１４Ａの外周壁１６を貫通した固着具４の軸部を構成する雄ねじ部６が係止される被係止部を構成する雌ねじ穴２７が設けられている。
【００３４】
上記のような構成とすれば、隣り合う窓装置１，１の連結側フレーム１４Ａ，１４Ａ同士を突き合わせた状態で、それぞれに収容された連結ブロック２０，２０同士を固着具４によって締結して連結させることができる。これにより、隣り合う窓装置１，１同士を連結する方立が見付面において露出するようなものと比べて、見栄えを向上させることができる。また、一方の窓装置１の連結側フレーム１４Ａの固着具挿通孔１５ｂを介して挿入された固着具４の頭部５をこの窓装置１の連結ブロック２０の頭部保持部２１に保持させ、雄ねじ部６を他方の窓装置１の連結ブロック２０の雌ねじ穴２７に係止させることができる。これにより、窓装置１を開口部２内に設置した状態で連結することができ、開口部２に設置する前に連結する必要があるものと比べて、設置する際の作業性を向上させることができる。また、固着具４を挿入する側の連結ブロック２０に固着具４の頭部５を保持させることができる。これにより、例えば、連結側フレーム１４Ａ，１４Ａの外周壁１６，１６同士をビス等によって直接的に締結するものと比べて、締結する際における意図しない固着具４の連結側フレーム１４Ａ内への落下等を抑制することができる。また、固着具４の頭部５が連結側フレーム１４Ａ内に位置することとなるので、連結側フレーム１４Ａの表面において頭部５が露出するようなものと比べて、見栄えを向上させることができる。
【００３５】
また、本実施形態では、互いに突き合わせられる連結側フレーム１４Ａ，１４Ａの連結ブロック２０，２０に、連結ブロック２０，２０同士の連結が見込方向両側の固着具４，４によってなされるように頭部保持部２１，２１及び雌ねじ穴２７，２７を設けている。このような構成とすれば、見込方向一方側のみの固着具４によって連結する構成とされたものと比べて、見込方向両側の固着具４によって連結強度を向上させることができる。
また、本実施形態では、互いに突き合わせられる連結側フレーム１４Ａ，１４Ａのうちの一方の連結側フレーム１４Ａに収容された連結ブロック２０の見込方向第１側部位に頭部保持部２１を設け、かつ見込方向第２側部位に雌ねじ穴２７を設けた構成としている。また、他方の連結側フレーム１４Ａに収容された連結ブロック２０の見込方向第１側部位に雌ねじ穴２７を設け、かつ見込方向第２側部位に頭部保持部２１を設けた構成としている。このような構成とすれば、一方の連結側フレーム１４Ａの見込方向第１側部位に固着具挿通孔１５ｂが設けられ、他方の連結側フレーム１４Ａの見込方向第２側部位に固着具挿通孔１５ｂが設けられることとなる。これにより、透光板１０が透視性の良好な透明であるような場合にも、突き合わせられた連結側フレーム１４Ａ，１４Ａの見込面（窓内周側に向く面）に同数の固着具挿通孔１５ｂ（キャップ部材１８）が設けられたような外観を呈することができる。
【００３６】
また、本実施形態では、連結側フレーム１４Ａに、長手方向に間隔を空けて複数（図例では２つ）の連結ブロック２０を収容させた構成としている。このような構成とすれば、互いに突き合わせられる連結側フレーム１４Ａ，１４Ａの長手方向の複数箇所を連結ブロック２０によって連結することができ、連結強度を向上させることができる。
また、本実施形態では、両側の側部フレーム１４，１４のそれぞれに連結ブロック２０，２０を収容させた構成としている。このような構成とすれば、三枚以上の窓装置１を隣り合わせて連結することもできる。
【００３７】
また、本実施形態では、同寸同形状とされた連結ブロック２０，２０を、両側の側部フレーム１４，１４のそれぞれに一方が他方に対して側部フレーム長手方向に沿う軸回りに１８０度回転させた状態となるように収容させた構成としている。また、当該窓装置１を、側部フレーム長手方向に沿う軸回りに略２回対称状となるような構成としている。このような構成とすれば、可動窓部材が設けられて開閉方向が規定されているような場合等を除いては、複数枚の窓装置１を隣り合わせて連結する際に、表裏を問わずに施工するようなこともできる。なお、窓装置１が側部フレーム長手方向に沿う軸回りに略２回対称状とは、当該窓装置１を表裏反転させて設置可能な構成であればよい。例えば、上部フレーム１１及び下部フレーム１２の内周側挿通孔１１ｃ，１２ｃ及び外周側挿通孔１１ｄ，１２ｄは、２回対称状に設けられていないが、このようなものでもよい。また、各連結ブロック２０は同一部材であるため、以下では、一つを例にとって連結ブロック２０の具体的構成について説明する。
【００３８】
連結ブロック２０は、図６に示すように、側部フレーム長手方向に沿う寸法が側部フレーム１４の長さ寸法よりも小とされている。この連結ブロック２０の側部フレーム長手方向に沿う寸法は、連結強度や軽量化を図る観点等から適宜の寸法としてもよく、例えば、２０ｍｍ〜５０ｍｍ程度としてもよく、図例では、側部フレーム１４の見付寸法と概ね同寸法とした例を示している。
また、この連結ブロック２０は、図３（ｂ）に示すように、側部フレーム長手方向に見て、側部フレーム１４の中空部の形状に応じた外郭形状とされている。図例では、連結ブロック２０の窓幅方向内側の見込方向中央側部位に、受入溝１５ａを区画する部位を受け入れる凹所を設けた例を示している。また、連結ブロック２０の窓幅方向外側の見込方向両側部位に、側部溝１６ｄ，１６ｄを区画する部位を受け入れる凹所を設けた例を示している。換言すれば、連結ブロック２０の窓幅方向外側の見込方向中央側部位に、窓幅方向外側に向けて突出する突部を設けた例を示している。
【００３９】
この連結ブロック２０の頭部保持部２１及び雌ねじ穴２７は、側部フレーム１４内に挿入された状態で、受入溝１５ａの見込方向両側に位置するように配される構成とされている。
本実施形態では、連結ブロック２０の頭部保持部２１に、固着具４の頭部５の側部フレーム長手方向両側に位置するように、かつ側部フレーム１４の対向する中空部内面間に亘って延びるようにガイド壁２２，２２を設けた構成としている（図７（ｂ）参照）。このような構成とすれば、固着具４を両側のガイド壁２２，２２に沿わせるようにして挿入することができ、作業性をより向上させることができる。図例では、頭部保持部２１に、窓幅方向内側及び見込方向外側に向けて開口し、固着具４の頭部５を受け入れる凹所を区画するように、上下両側のガイド壁２２，２２と見込方向中央側のガイド壁２３と底壁２４とを設けた構成としている。
【００４０】
これらガイド壁２２，２２，２３の窓幅方向内側の端部は、側部フレーム１４の内周壁１５に当接または近接するように設けられている。連結ブロック２０は、これらガイド壁２２，２２，２３によって区画された凹所が側部フレーム１４の固着具挿通孔１５ｂに一致する位置となるように側部フレーム１４内に設けられている。なお、固着具４の頭部５の三方を囲むようにガイド壁２２，２２，２３を設けた態様に代えて、全周に亘って囲むようにガイド壁を設けた構成としてもよい。また、側部フレーム長手方向両側のみにガイド壁２２，２２を設けた構成としてもよく、更には、側部フレーム長手方向一方側のみにガイド壁２２を設けた構成としてもよい。好ましくは、少なくとも頭部５の下方側に位置するようにガイド壁２２を設けた構成としてもよい。
【００４１】
頭部保持部２１の底壁２４は、側部フレーム１４の外周壁１６に当接または近接するように設けられている。この底壁２４には、固着具４の雄ねじ部６が挿通される挿通孔２４ａが設けられている。この挿通孔２４ａの内径は、固着具４の頭部５の外径よりも小とされている。側部フレーム１４における頭部保持部２１が配された側の外周壁１６には、固着具４の雄ねじ部６が挿通される挿通孔１６ｅが設けられている。この挿通孔１６ｅは、固着具挿通孔１５ｂに一致する位置となるように設けられている。つまり、側部フレーム１４の固着具挿通孔１５ｂ及び挿通孔１６ｅ並びに頭部保持部２１の挿通孔２４ａは、固着具４の軸方向に見て重なり合う位置となるように設けられている。図例では、側部フレーム１４の見込方向一方側の側部溝１６ｄの溝底を貫通させるように挿通孔１６ｅを設けた例を示している。
なお、頭部保持部２１としては、上記のような構成とされたものに限られず、その他、種々の変形が可能である。
【００４２】
雌ねじ穴２７は、図３（ｂ）及び図５に示すように、連結ブロック２０に保持されたナット部材２６に設けられている。このような構成とすれば、被係止部を固着具の尖頭状の雄ねじ部がねじ込まれる止着部としたものと比べて、連結強度を向上させることができ、また、再締結する際にも連結強度が低下するようなことを抑制することができる。
ナット部材２６は、連結ブロック２０のナット保持部２５に設けられた凹所状の差込部２５ｂに差し込まれて保持されている（図７（ａ）も参照）。図例では、板ナット状とされたナット部材２６が差し込まれる差込部２５ｂを、見込方向外側に向けて開口させるように設けた構成としている。
【００４３】
また、ナット保持部２５の窓幅方向外側部位に、ナット部材２６の雌ねじ穴２７に一致する位置となるように、固着具４の雄ねじ部６が挿通される挿通孔２５ａを設けた構成としている。また、ナット保持部２５に、ナット部材２６の雌ねじ穴２７を貫通するようにねじ合わされた固着具４の雄ねじ部６の先端側を受け入れる凹所を設けた構成としている。側部フレーム１４におけるナット保持部２５が配された側の外周壁１６には、固着具４の雄ねじ部６が挿通される挿通孔１６ｅが設けられている。この挿通孔１６ｅは、ナット保持部２５の挿通孔２５ａ及びナット部材２６の雌ねじ穴２７と固着具４の軸方向に見て重なり合う位置となるように設けられている。図例では、側部フレーム１４の見込方向他方側の側部溝１６ｄの溝底を貫通させるように挿通孔１６ｅを設けた例を示している。つまり、側部フレーム１４の見込方向両側のそれぞれに挿通孔１６ｅ，１６ｅを設けた構成としている（図４及び図６も参照）。また、隣り合う窓装置１，１の連結側フレーム１４Ａ，１４Ａを突き合わせた状態では、一方の連結側フレーム１４Ａの固着具挿通孔１５ｂ及び挿通孔１６ｅ並びに頭部保持部２１の挿通孔２４ａと他方の連結側フレーム１４Ａの挿通孔１６ｅ並びにナット保持部２５の挿通孔２５ａ及びナット部材２６の雌ねじ穴２７とが、固着具４の軸方向に見て重なり合う位置となるように設けられている。
なお、ナット保持部２５としては、上記のような構成とされたものに限られず、その他、種々の変形が可能である。
【００４４】
また、本実施形態では、連結ブロック２０に、側部フレーム１４の中空部内面において開口するように設けられた嵌合凹部１６ａに嵌め合わされる嵌合突起２８を設けた構成としている。このような構成とすれば、側部フレーム１４の嵌合凹部１６ａに連結ブロック２０の嵌合突起２８を嵌め合わせることで、側部フレーム１４の長手方向途中部位に配される連結ブロック２０の側部フレーム長手方向における位置決めを容易に行うことができる。
また、連結ブロック２０の嵌合突起２８を、見込方向略中央部位に窓幅方向外側に向けて突出させるように設けた構成としている（図７（ａ）も参照）。図例では、この嵌合突起２８を、略円柱状とした例を示している。また、この嵌合突起２８は、片持ち状に連結ブロック２０の中央部位に連結された基端側部位の弾性変形を伴って窓幅方向内側に向けて没入可能な構成とされている。
【００４５】
側部フレーム１４の嵌合凹部１６ａは、外周壁１６の見込方向中央側部位を貫通するように設けられている。図例では、上記した見込方向両側の挿通孔１６ｅ，１６ｅと略同高さに位置するように嵌合凹部１６ａを設けた例を示している。連結ブロック２０の嵌合突起２８は、この嵌合凹部１６ａに嵌め込まれた状態で、外周壁１６の外側面から突出しないように設けられている。なお、嵌合凹部１６ａは、貫通孔に限られず、有底穴状とされたものでもよい。また、連結ブロック２０の嵌合突起２８及びこれが嵌め込まれる側部フレーム１４の嵌合凹部１６ａとしては、上記のような構成とされたものに限られず、その他、種々の変形が可能である。
また、これら連結ブロック２０，２０は、金属系材料や合成樹脂系材料から形成されたものとしてもよい。
【００４６】
また、上記した四周フレーム１１，１２，１４，１４及び中間フレーム１３は、金属系材料や合成樹脂系材料から形成されたものとしてもよい。金属系材料としては、アルミニウムやステンレス等が挙げられる。また、合成樹脂系材料としては、塩化ビニル樹脂や、その他、種々の樹脂の採用が可能であり、また、ガラス繊維や炭素繊維等の強化繊維を含んだいわゆる繊維強化樹脂でもよい。
また、これら四周フレーム１１，１２，１４，１４及び中間フレーム１３は、押出成形等によってそれぞれ全長に亘って略一様な断面形状とされたものでもよい。
また、これら四周フレーム１１，１２，１４，１４及び中間フレーム１３の表面は、塗装や化粧シートの貼着等によって適宜の表面化粧処理が施された化粧面としてもよい。例えば、これら四周フレーム１１，１２，１４，１４及び中間フレーム１３の表面を、アイアン調の黒色系やマット調の白色系の表面仕上処理が施されたものとしてもよい。
【００４７】
次に、上記のような構成とされた窓装置１の施工構造の一例について説明する。
本例では、図２に示すように、窓装置１の上下両側を仮保持する上側ガイド７及び下側ガイド８を設けた構成としている。
上側ガイド７は、開口部２の開口幅方向に延びるように設けられ、窓装置１の上端部を受け入れる凹所を区画する形状とされている。この上側ガイド７は、開口部２の天面２ａに沿うように固定される固定片部７ａと、この固定片部７ａの見込方向両端部から下方側に向けて突出するように設けられた保持片部７ｃ，７ｃと、を備えている。これら保持片部７ｃ，７ｃ間に、窓装置１の上端部が差し込まれて仮保持される。図例では、固定片部７ａに、当該上側ガイド７を固定する固着具３が挿通される挿通孔７ｂを設けた例を示している。
【００４８】
下側ガイド８は、開口部２の開口幅方向に延びるように設けられ、窓装置１の下端部に設けられた凹溝１２ｅに挿入される突部を構成する。この下側ガイド８は、上下方向に厚さ方向を沿わせ、開口部２の底面２ｂに沿うように配される帯板状とされている。この下側ガイド８には、当該下側ガイド８を固定する固着具３が挿通される挿通孔８ａが設けられている。
この下側ガイド８及び上側ガイド７は、窓装置１の上端部を上側ガイド７の凹所に受け入れさせた状態で、窓装置１の下端部の凹溝１２ｅに下側ガイド８を受け入れさせてけんどん状に窓装置１を建て付け可能なように設けられている。このような構成とすれば、これら上側ガイド７及び下側ガイド８に窓装置１を仮保持させた状態で、上部フレーム１１及び下部フレーム１２を固着具３，３によって開口部２に固定することができる。なお、上側ガイド７及び下側ガイド８は、上記同様な金属系材料または合成樹脂系材料から形成されたものでもよい。また、上側ガイド７及び下側ガイド８の形状は、図例のようなものに限られず、適宜、変形が可能である。
【００４９】
また、図例では、二枚の窓装置１，１を隣り合わせて開口部２に設置した例を示している。図１に示すように、これら二枚の窓装置１，１の連結側フレーム１４Ａ，１４Ａ同士は、それぞれに収容された連結ブロック２０，２０同士を固着具４，４によって締結して連結されている。このように連結された状態では、連結側フレーム１４Ａ，１４Ａの外周壁１６，１６の突条１６ｂと凹溝１６ｃとが互いに係合し、また、外周壁１６，１６の見込方向両側縁部同士が互いに当接または近接される。
また、これら二枚の窓装置１，１の端部フレーム１４Ｂ，１４Ｂに設けられたシール材１９，１９が開口部２の内側面２ｃ，２ｃにそれぞれ当接される。
なお、窓装置１の施工構造としては、上記のような構成に限られず、三枚以上を隣り合わせて設けた構成としてもよく、その他、種々の変形が可能である。また、上記のような上側ガイド７及び下側ガイド８を用いて設置する態様に限られない。
【００５０】
また、本実施形態では、窓装置１を、四周のフレーム１１，１２，１４，１４内に固定的に透光板１０を設けて固定窓（ＦＩＸ窓）とした例を示しているが、このような態様に限られない。四周のフレーム１１，１２，１４，１４内に一枚の可動窓部材または中間（横や縦）フレームで区画された複数区画のうちの少なくとも一区画に可動窓部材を開閉自在に保持させた構成としてもよい。
また、本実施形態では、両側の側部フレーム１４，１４のそれぞれに同寸同形状の連結ブロック２０，２０を側部フレーム長手方向に沿う軸回りに互いに１８０度反転させた状態で設けた例を示しているが、このような態様に限られない。例えば、一方の側部フレーム１４の連結ブロック２０の見込方向両側または一方側に頭部保持部２１のみを設け、他方の側部フレーム１４の連結ブロック２０の見込方向両側または一方側に雌ねじ穴（被係止部）２７を設けたような態様等としてもよい。
【００５１】
また、本実施形態では、両側の側部フレーム１４，１４に連結ブロック２０，２０を設けた例を示しているが、上記のように二枚の窓装置１，１を連結する場合には、連結側となる連結側フレーム１４Ａのみに連結ブロック２０を設けた構成としてもよい。
また、本実施形態では、側部フレーム１４に連結ブロック２０を設けた例を示しているが、上部フレーム１１及び下部フレーム１２の両方または一方に連結ブロック２０を設けた構成としてもよい。つまり、複数枚の窓装置を開口幅方向に連結可能とした態様に代えて、上下方向に連結可能とした態様としてもよい。本実施形態に係る窓装置１の各部材及び各部の構成は、上記したような構成に限られず、その他、種々の変形が可能である。
【符号の説明】
【００５２】
１      窓装置
１０    透光板
１１    上部フレーム（フレーム）
１２    下部フレーム（フレーム）
１４    側部フレーム（フレーム）
１４Ａ  連結側フレーム
１５    内周壁
１５ｂ  固着具挿通孔
１６    外周壁
１６ａ  嵌合凹部
１６ｂ  突条
１６ｃ  凹溝
１８    キャップ部材
２０    連結ブロック
２１    頭部保持部
２２    ガイド壁
２６    ナット部材
２７    雌ねじ穴（被係止部）
２８    嵌合突起
４      固着具
５      頭部
６      雄ねじ部（軸部）
【図１】
2020084687.tif 000003
【図２】
2020084687.tif 000004
【図３】
2020084687.tif 000005
【図４】
2020084687.tif 000006
【図５】
2020084687.tif 000007
【図６】
2020084687.tif 000008
【図７】
2020084687.tif 000009